(57)【要約】【課題】オーバーフロー口の開口面積が小さい場合であっても、特殊な機構部材等を設けることなく、オーバーフロー装置としてのベーシックな部材のみでサイフォン作用を起こして排水能力を高くすることができ、且つ浴槽裏側の突出量を最小化できる省スペース対応のオーバーフロー装置の取付構造を提供する。【解決手段】溜水可能な槽体の内壁面に形成されたオーバーフロー孔と連通するように取り付けられるオーバーフロー装置の取付構造であって、前記オーバーフロー装置は、管状に形成されたオーバーフロー管部を備え、前記オーバーフロー管部は、上流端部において、軸芯方向が略水平状であって、且つ前記オーバーフロー孔の開口方向と直交する方向に配設された水平部と、前記水平部の下流側に位置し、軸芯方向が略鉛直方向下方に向いている鉛直部と、を有していることを特徴とする【選択図】図１
2010196311.tif 000002
【特許請求の範囲】
【請求項１】
溜水可能な槽体の内壁面に形成されたオーバーフロー孔と連通するように取り付けられるオーバーフロー装置の取付構造であって、
前記オーバーフロー装置は、管状に形成されたオーバーフロー管部を備え、
前記オーバーフロー管部は、上流端部において、軸芯方向が略水平状であって、且つ前記オーバーフロー孔の開口方向と直交する方向に配設された水平部と、前記水平部の下流側に位置し、軸芯方向が略鉛直方向下方に向いている鉛直部と、を有している
ことを特徴とするオーバーフロー装置の取付構造。
【請求項２】
前記オーバーフロー孔と前記水平部の間には、前記オーバーフロー孔から流入した水を水平方向に屈曲させる第１の屈曲部が形成されており、
前記水平部と前記鉛直部の間には、前記水平部から流入した水を鉛直方向下方側に屈曲する第２の屈曲部が形成されている
ことを特徴とする請求項１記載のオーバーフロー装置の取付構造。
【請求項３】
前記第２の屈曲部は、前記水平部と前記鉛直部とをアール状に繋いでいることを特徴とする請求項２記載のオーバーフロー装置の取付構造。
【請求項４】
前記オーバーフロー管部の上流端部と、前記槽体のオーバーフロー孔とを連通するための接続エルボを備え、
前記接続エルボにおける前記オーバーフロー管部との接続口の向きは、略水平方向であって、且つ前記オーバーフロー孔の開口方向と直交する方向に開口していることを特徴とする請求項１〜３のいずれか１項に記載のオーバーフロー装置の取付構造。
【請求項５】
前記オーバーフロー孔の中心と、前記鉛直部とは、水平方向に１５０ｍｍ程度離れていることを特徴とする請求項１〜４のいずれか１項に記載のオーバーフロー装置の取付構造。
【発明の詳細な説明】
【技術分野】
【０００１】
本発明は、浴槽や洗面ボウルなどの槽体の内壁面に形成されたオーバーフロー孔に取り付けられるオーバーフロー装置の取付構造に関する。
【背景技術】
【０００２】
従来、特許文献１に示すように、浴槽内の水が溢れ出ないように、浴槽の内壁面にオーバーフロー孔を形成し、オーバーフロー孔と連通して取り付けられたオーバーフロー管を介して浴槽内の水を排出するオーバーフロー装置が開示されている。
【０００３】
また、特許文献２に示すように、オーバーフロー管内において、早期にサイフォン作用を発生させるために、オーバーフロー孔の浴槽内面側に空気の漏れ込みがなくなるようなカバーを取り付けたオーバーフロー装置が開示されている。
【０００４】
特許文献１に開示されているオーバーフロー装置は、オーバーフロー孔の開口断面積、およびオーバーフロー管の内径に排水性能が依存するため、オーバーフロー孔の開口面積が狭い場合は、排水性能が悪化するという問題がある。また、オーバーフロー開口部にカバーが設置される場合は吸い込み面積にも排水性能が依存する。
【０００５】
また、特許文献２に開示されているオーバーフロー装置は、サイフォン作用を起こして排水するため、オーバーフロー孔の開口断面積、およびオーバーフロー管の内径のみに排水性能が依存しないが、空気が漏れ込まないようにするための特殊な機構を有するカバーが必要となるという問題がある。
【先行技術文献】
【特許文献】
【０００６】
【特許文献１】特開２００１−１４５５８０号公報
【特許文献２】特開平９−７８６５１号公報
【発明の概要】
【発明が解決しようとする課題】
【０００７】
本発明は、上述した問題に鑑み、オーバーフロー口の開口面積が小さい場合であっても、特殊な機構部材等を設けることなく、オーバーフロー装置としてのベーシックな部材のみでサイフォン作用を起こして排水能力を高くすることができ、且つ浴槽裏側の突出量を最小化できる省スペース対応のオーバーフロー装置の取付構造を提供することを目的とする。
【課題を解決するための手段】
【０００８】
本発明の一様態によれば、
溜水可能な槽体の内壁面に形成されたオーバーフロー孔に連通するように取り付けられるオーバーフロー装置の取付構造であって、
前記オーバーフロー装置は、管状に形成されたオーバーフロー管部を備え、
前記オーバーフロー管部は、上流端部において、軸芯方向が略水平状であって、且つ前記オーバーフロー孔の開口方向と直交する方向に配設された水平部と、前記水平部の下流側に位置し、軸芯方向が略鉛直方向下方に向いている鉛直部と、を有している
ことを特徴とするオーバーフロー装置の取付構造を提供する。
【発明の効果】
【０００９】
本発明によれば、オーバーフロー口の開口面積が小さい場合や、吸い込み面積の小さいオーバーフローカバーが付く仕様であっても、特殊な機構部材等を設けることなく、オーバーフロー装置としてのベーシックな部材のみでサイフォン作用を起こして排水能力を高くすることができ、且つ浴槽裏側の突出量を最小化できる省スペース対応のオーバーフロー装置の取付構造を提供することができる。
【図面の簡単な説明】
【００１０】
【図１】（ａ）は本実施形態にかかるオーバーフロー装置付浴槽を上方から眺めた上面模式図である。（ｂ）は、本実施形態にかかるオーバーフロー装置付浴を前方から眺めた側面模式図である。
【図２】本実施形態にかかるオーバーフロー装置付浴槽を槽体内側から見た側面図である。
【図３】本実施形態にかかる浴槽とオーバーフロー管部との接続における模式図である。
【発明を実施するための最良の形態】
【００１１】
本発明における第１の発明は、溜水可能な槽体の内壁面に形成されたオーバーフロー孔に連通するように取り付けられるオーバーフロー装置の取付構造であって、オーバーフロー装置は、管状に形成されたオーバーフロー管部を備え、オーバーフロー管部は、上流端部において、軸芯方向が略水平状であって、且つオーバーフロー孔の開口方向と直交する方向に配設された水平部と、水平部の下流側に位置し、軸芯方向が略鉛直方向下方に向いている鉛直部と、を有していることを特徴とする。
【００１２】
つまり、オーバーフロー孔から流入した槽体内の水は、オーバーフロー管部の水平部に流入するにあたって、水平方向に屈曲することとなる。そして、水平部を通過した後に、鉛直方向下方側に屈曲して鉛直部に導かれて、浴槽外に排出される構造となっている。このように、オーバーフロー装置内の排水流路を一度、水平方向に振ってから下方に曲げることにより、水の排水性能を一時的に鈍化させ、槽体内においてオーバーフロー孔を水没させ、オーバーフロー管の水平部を満水状態にしやすくしている。オーバーフロー管の水平部を満水にすることでサイフォン作用が働きだし、オーバーフロー管内の流速が増すこととなる。
【００１３】
このように、サイフォン作用を働かせることにより、オーバーフロー孔の開口面積や、オーバーフロー管の内径が小さい場合であっても充分な排水性能を確保することが可能となる。また、オーバーフロー管の水平部をオーバーフロー孔の開口方向と直交する方向に配設させているため、浴槽裏側の突出量を従来と同程度に収めることが可能となる。
【００１４】
本発明における第２の発明は、オーバーフロー孔と水平部の間には、前記オーバーフロー孔から流入した水を水平方向に屈曲させる第１の屈曲部が形成されており、水平部と鉛直部の間には、水平部から流入した水を鉛直方向下方側に屈曲する第２の屈曲部が形成されていることを特徴とする。
【００１５】
通常、オーバーフロー孔から流入した槽体内の水は、ある程度整流された状態で、オーバーフロー管内に流入する。しかしながら、第２の発明では第１の屈曲部で水平方向に屈曲されることとなるため、乱流が起き、水の流れが停滞されることとなる。このように第１の屈曲部を設けることで、水の排水性能を一時的に鈍化させ、槽体内においてオーバーフロー孔を水没させ、オーバーフロー管の水平部を満水状態にしやすくしている。オーバーフロー管の水平部を満水にすることでサイフォン作用が働きだし、オーバーフロー管内の流速が増すこととなる。
【００１６】
本発明における第３の発明は、第２の屈曲部は、水平部と鉛直部とをアール状に繋いでいることを特徴とする。
【００１７】
このように、水平部と鉛直部の間をアール状に繋いだ場合であっても、同様の作用が起きる。つまり、オーバーフロー管の水平部と鉛直部を、可撓性を有する１本のフレキシブル管から構成することも可能である。
【００１８】
本発明における第４の発明は、オーバーフロー管部の上流端部と、槽体のオーバーフロー孔とを連通するための接続エルボを備え、接続エルボにおける前記オーバーフロー管部との接続口の向きは、略水平方向であって、且つオーバーフロー孔の開口方向と直交する方向に開口していることを特徴とする。
【００１９】
このように、オーバーフロー管の上流端を直接、オーバーフロー孔に取り付けない形態の場合には、エルボにおけるオーバーフロー管との接続口の向きを略水平方向であって、且つ前記オーバーフロー孔の開口方向と直交する方向となるように取り付ければ、上述した作用効果を実現できる。
【００２０】
本発明における第５の発明は、オーバーフロー孔の中心と、鉛直部とは、水平方向に１５０ｍｍ以上離れていることを特徴とする。
【００２１】
このようにすることで、鉛直部に至るまでの水平部の距離が長くなるため、更に排水の流速が抑制され、オーバーフロー孔を早期に水に水没させやすくなり、オーバーフロー管の水平部を満水状態にしやすくすることができる。
【００２２】
次に、本発明の実施態様について、図面を用いて詳細に説明する。
図１は、本発明の実施の形態にかかるオーバーフロー装置付浴槽を表す平面模式図である。  
なお、図１（ａ）は、本実施形態にかかるオーバーフロー装置付浴槽を上方から眺めた上面模式図であり、図１（ｂ）は、本実施形態にかかるオーバーフロー装置付浴を前方から眺めた側面模式図である。
【００２３】
本実施形態にかかるオーバーフロー装置付浴槽は、浴槽１と、浴槽１の側面上部に開けられたオーバーフロー孔２と、オーバーフロー孔２と連通して取り付けられ、管状に形成されたオーバーフロー管部３と、を備える。尚、浴槽１の底部には浴槽水を槽外に排出するための浴槽排水口が形成されており、浴槽排水口に流れ込んだ浴槽水は、浴槽排水部を介して下水配管に繋がる排水管へ排出される。浴槽排水口は図示しない排水栓によって開閉される。
【００２４】
オーバーフロー管部３は、浴槽１の外面に沿うように配置され、オーバーフロー管部３の上端部軸芯方向が略水平状であり且つオーバーフロー孔２の開口方向２ａと直行する方向２ｂに配置された水平部３ａと、３ａの下流側に位置し、軸芯方向が略鉛直方向下方に向いている鉛直部３ｂとを有する。オーバーフロー管部３は、鉛直部３ｂの下流側で浴槽１の排水部と接続されている。このように、本発明におけるオーバーフロー装置は、オーバーフロー孔２の近傍で下方に屈曲するのではなく、オーバーフロー孔２に対して浴槽の外面と沿うように横（水平）方向に振って離した後に下方に屈曲している点で従来とは相違する。
【００２５】
図２は浴槽１の槽体内から浴槽１の側面を見た図である。浴槽１の槽体内の水面５が、オーバーフロー孔２の下端５ａより上昇すると、槽体内の水はオーバーフロー孔２よりオーバーフロー管部３の水平部３ａに流入する。流入した水は水平方向に屈曲することとなり、水平部３ａを流れる。水は水平部３ａを通過した後、鉛直方向下方側に屈曲して鉛直部３ｂに導かれ、浴槽排水部に排出される。
【００２６】
オーバーフロー管部３に流入した水の流れは、水平方向に屈曲した後、水平部３ａを通過して鉛直方向下方側に屈曲するため、水の排水能力が一時的に鈍化し、槽体内の水面５がオーバーフロー孔２より上方の５ｂまで上昇しやすくなる。オーバーフロー孔２が完全に水没すると、オーバーフロー管部３の水平部３ａが満水状態になる。オーバーフロー管部３の水平部３ａが満水状態が鉛直部３ｂ側まで達することで、水の自由落下が加わり、高度差（浴槽水面から水の落下点の差）が発生し、サイフォン作用（オーバーフロー菅部３内の流速が増す）が働くこととなる。
【００２７】
また、オーバーフロー管部３は、オーバーフロー孔２と水平部３ａの間に第１の屈曲部３ｃと、水平部３ａと鉛直部３ｂの間に第２の屈曲部３ｄを有する。
【００２８】
オーバーフロー管部３に流入した水の流れは、水平部３ａを通過した後、第１の屈曲部３ｃで、流れの向きが急変することによって乱流が起き、水の流れが鈍化する。流れが鈍化すると、水平部３ａを流れる量よりも、オーバーフロー孔２から流入する量が多くなりやすく、水平部３ａは満水状態になり、サイフォン作用が働き、オーバーフロー管部３内の流速が増すこととなる。
【００２９】
また、上述した、第１の屈曲部３ｃと第２の屈曲部３ｄはアール状に繋いであっても、同様の作用が起きる。アール状に繋いであっても、オーバーフロー管部３に流入した水の流れは、水平部３ａを通過した後、第１の屈曲部３ｃで、流れの向きが急変することによって乱流が起き、水の流れは鈍化するためである。
【００３０】
さらに、オーバーフロー孔２の中心２ｃと、鉛直部３ｂとを、水平方向に１５０ｍｍ程度離すことによって、流入した水が、鉛直部３ｂに至るまでが長くなり、水平部３ａの流速がさらに抑制される。そのためオーバーフロー孔２を早期に水没させやすく、オーバーフロー管部３の水平部３ａが満水状態になりやすくなる。
【００３１】
次に浴槽１とオーバーフロー管部３との接続における変形例について、図を参照しつつ説明する。図３は、浴槽とオーバーフロー管部との接続における模式図である。
【００３２】
本変形例は、オーバーフロー管部３の上流端３ｅと、浴槽の側面に開けられたオーバーフロー孔２と、を連結するために、接続エルボ６を有する。接続エルボ６は、浴槽側接続部６ａと、ねじ部６ｂと、屈曲部６ｃと、オーバーフロー管接続部６ｄと、を有する。浴槽側接続部６ａは、浴槽裏面に沿って配置され、水密確保のため、浴槽１と接続エルボ６の浴槽側接続部６ｂの間にパッキン４をはさみ、接続エルボ６は、浴槽の内側から、フランジ７のねじ部７ａによって締めつけ固定される。このとき、オーバーフロー管接続部６ｄの向きは、軸芯方向が略水平状であって、且つオーバーフロー孔２の開口方向と直交する方向に配設されている。オーバーフロー管接続部６ｄに、オーバーフロー管部３の上流端３ｅが接続される。オーバーフロー管部３は上述したオーバーフロー管部と同様に、水平部３ａと、鉛直部３ｂと、を有する。フランジ７はオーバーフローカバー取付部７ｂを有し、オーバーフローカバー８は取付部８ａをオーバーフローカバー取付部７に差し込むことで取付けられる。尚、オーバーフロー管には蛇腹管を用いても良い。
【００３３】
接続エルボ６は屈曲部６ｃを有するため、本変形例での水の流れは、上述した水の流れと同様であり、同様の作用効果を実現できる。よって吸い込み口面積９が小さい場合でも、高い排水能力が得られ、従来のカバーより意匠を向上させることができる。
【符号の説明】
【００３４】
１・・・浴槽、２・・・オーバーフロー孔、３・・・オーバーフロー管部、３ａ・・・水平部、３ｂ・・・鉛直部、３ｃ・・・第１の屈曲部、３ｄ・・・第２の屈曲部、４…パッキン、５・・・水面、６・・・接続エルボ、６ａ・・・浴槽側接続部、６ｂ・・・ねじ部、６ｃ・・・屈曲部、６ｄ・・・オーバーフロー管接続部、７・・・フランジ、７ａ・・・ねじ部、７ｂ・・・オーバーフローカバー取付部、８・・・オーバーフローカバー、８ａ・・・取付部、９・・・吸い込み口
【図１】
2010196311.tif 000003
【図２】
2010196311.tif 000004
【図３】
2010196311.tif 000005